(57)【要約】【課題】フォースタンス理論に基づき、プレイヤー個々の運動能力を十分発揮させることができる簡易な運動補助具を提供する。【解決手段】使用者が円錐台状に形成された把持部２の端部５ｂを第一指と第二指とで把持して使用する運動補助具１であって、使用者の立位自然体での足裏重心がつま先側で、かつ内側に位置するとき、把持部２の円錐面５は、使用者の第二指から第五指に向かうに従って先細りとなるように形成され、把持部２の端部５ｂの直径をＤ３とし、把持部２の円錐面５の中心軸に対する傾斜角度をθ１としたとき、直径Ｄ３を１０ｍｍ＜Ｄ＜５０ｍｍを満たすように設定すると共に、円錐面５の傾斜角度θ１２°＜θ＜４°を満たすように設定した。【選択図】図１
2011045459.tif 000002
【特許請求の範囲】
【請求項１】
使用者が円錐台状に形成された把持部の端部を第一指と第二指とで把持して使用する運動補助具であって、
使用者の立位自然体での足裏重心がつま先側で、かつ内側に位置するとき、
前記把持部の周面は、前記使用者の前記第二指から第五指に向かうに従って先細りとなるように形成され、
前記把持部の前記端部の直径をＤとし、前記把持部の前記周面の中心軸に対する傾斜角度をθとしたとき、
前記端部の直径Ｄを
１０ｍｍ＜Ｄ＜５０ｍｍ
を満たすように設定すると共に、
前記周面の傾斜角度θを
２°＜θ＜４°
を満たすように設定したことを特徴とする運動補助具。
【請求項２】
使用者が円錐台状に形成された把持部の端部を第一指と第三指とで把持して使用する運動補助具であって、
使用者の立位自然体での足裏重心が踵側で、かつ外側に位置するとき、
前記把持部の周面は、前記使用者の前記第三指から第五指に向かうに従って末広がりとなるように形成され、
前記把持部の前記端部の直径をＤとし、前記把持部の前記周面の中心軸に対する傾斜角度をθとしたとき、
前記端部の直径Ｄを
５ｍｍ＜Ｄ＜４５ｍｍ
を満たすように設定すると共に、
前記周面の傾斜角度θを
２°＜θ＜４°
を満たすように設定したことを特徴とする運動補助具。
【請求項３】
前記把持部の軸方向の長さは、少なくとも４０ｍｍに設定されていることを特徴とする請求項１または請求項２に記載の運動補助具。
【請求項４】
使用者が小径部と大径部とを有する段付円柱状に形成された把持部のうち、前記小径部を第一指と第二指とで把持すると共に、前記大径部を第三指と第四指とで把持して使用する運動補助具であって、
前記使用者の立位自然体での足裏重心がつま先側で、かつ外側に位置するとき、
前記小径部の直径をＤｓとし、前記大径部の直径をＤｂとし、前記大径部の軸方向の長さをＴｂとしたとき、
前記小径部の直径Ｄｓを
５ｍｍ＜Ｄｓ＜４５ｍｍ
を満たすように設定し、
前記大径部の直径Ｄｂを
１０ｍｍ＜Ｄｂ＜５０ｍｍ
を満たすように設定すると共に、
これら直径Ｄｓ、および直径Ｄｂを
１ｍｍ＜Ｄｂ−Ｄｓ＜５ｍｍ
を満たすように設定し、
前記大径部の軸方向の長さＴｂを
２０ｍ＜Ｔｂ＜３０ｍｍ
を満たすように設定したことを特徴とする運動補助具。
【請求項５】
使用者が小径部と大径部とを有する段付円柱状に形成された把持部のうち、前記小径部を第四指と第五指とで把持すると共に、前記大径部を第一指、第二指、および第三指で把持して使用する運動補助具であって、
前記使用者の立位自然体での足裏重心が踵側で、かつ内側に位置するとき、
前記小径部の直径をＤｓとし、前記大径部の直径をＤｂとし、前記大径部の軸方向の長さをＴｂとしたとき、
前記小径部の直径Ｄｓを
５ｍｍ＜Ｄｓ＜４５ｍｍ
を満たすように設定し、
前記大径部の直径Ｄｂを
１０ｍｍ＜Ｄｂ＜５０ｍｍ
を満たすように設定すると共に、
これら直径Ｄｓ、および直径Ｄｂを
１ｍｍ＜Ｄｂ−Ｄｓ＜５ｍｍ
を満たすように設定し、
前記大径部の軸方向の長さＴｂを
２０ｍｍ＜Ｔｂ＜３０ｍｍ
を満たすように設定したことを特徴とする運動補助具。
【請求項６】
前記把持部を弾性を有する素材により形成したことを特徴とする請求項１〜請求項５の何れかに記載の運動補助具。
【請求項７】
前記把持部は放射性物質を含んでいることを特徴とする請求項１〜請求項６の何れかに記載の運動補助具。
【発明の詳細な説明】
【技術分野】
【０００１】
この発明は、例えば、スポーツなどの運動を行う際に用いられる運動補助具に関するものである。
【背景技術】
【０００２】
近年、スポーツなどの運動を行う際、プレイヤーのスタンスを４つのスタンスに分類し、これらスタンス毎に最適な運動形態を導く指標とする「フォースタンス理論」が唱えられている。このフォースタンス理論に基づいて各プレイヤーが運動することで、個々の運動能力を十分発揮させることが可能になる（例えば、特許文献１参照）。
ここで、「フォースタンス理論」における「スタンス」とは、プレイヤーが自然体で立位を採った際、無意識のうちに体を安定するための両脚の足底の傾き加減を表し、身体能力を十分な形で発揮するための足の重心のかけ方である。このスタンスには、各プレイヤーにおいて個体差が存在し、プレイヤーがどのスタンスを採るかはその骨格と身体的くせに依存して各個人間で変化する。
【０００３】
「フォースタンス理論」における４つのスタンスは、以下の通りである：（１）つま先内側重心（図３１（ａ）参照）；（２）踵外側重心（図３１（ｂ）参照）；（３）つま先外側重心（図３１（ｃ）参照）；（４）踵内側重心（図３１（ｄ）参照）。
以下に、各スタンス別の身体の動きの違いの一例を示す。
すなわち、図３２、図３３に示すように、（１）つま先内側重心のスタンス（以下、（１）のスタンスという）、および（２）踵外側重心のスタンス（以下、（２）のスタンスという）を採るプレイヤーは、クロスタイプとも呼ばれ、歩行時に足首ＡＫを可動させず、すり足のように歩行する。
【０００４】
具体的には、歩行時において、立ち位置（図３２（ａ）参照）から足を前に出そうとする動作のとき（図３２（ｂ）参照）、地面Ｊと踵Ｋとの距離Ｓ１が短く、地面Ｊから踵Ｋがあまり離れない。そして、足首ＡＫを可動させない状態で足裏ＡＵが地面から完全に離れる（図３２（ｃ）参照）。このとき、地面Ｊと足裏ＡＵとの距離Ｓ２が短く、地面Ｊから足裏ＡＵが大きく離れることがない。この後、足裏ＡＵを地面Ｊに着地させるとき、足の母指球あたりが最初に地面Ｊに着地する（図３２（ｄ）参照）。
このように、（１）のスタンス、および（２）のスタンスを採るプレイヤーはすり足に近い形で歩行するので、例えば、スリッパを履いて歩くのが苦手な場合が多い。
【０００５】
さらに、（１）のスタンスを採るプレイヤーにあっては、足を前に出そうとする動作のとき（図３２（ｂ）参照）、踵外側からつま先内側に向かって足が捩れるような状態で地面から離れる（図３３（ａ）参照）。一方、（２）のスタンスを採るプレイヤーにあっては、踵内側からつま先外側に向かって足が捩れるような状態で地面から離れる（図３３（ｂ）参照）。また、（２）のスタンスを採るプレイヤーは、足裏ＡＵを地面Ｊに着地させるとき（図３２（ｄ）参照）、（１）のスタンスを採るプレイヤーよりも地面Ｊと踵Ｋとの間の距離Ｓ３が短い。
【０００６】
これに対し、図３４に示すように、（３）つま先外側重心のスタンス（以下、（３）のスタンスという）、および（４）踵内側重心のスタンス（以下、（４）のスタンスという）を採るプレイヤーは、パラレルタイプとも呼ばれ、（１）のスタンス、および（２）のスタンス（クロスタイプ）と比較して歩行時に足首ＡＫを可動させる。
具体的には、歩行時において、立ち位置（図３４（ａ）参照）から足を前に出そうと地面を蹴り上げる動作のとき（図３４（ｂ）参照）、クロスタイプよりも地面Ｊと踵Ｋとの距離Ｓ１’が長く、地面Ｊから踵Ｋが大きく離れる。このとき、足指の根元が大きく可動させるが、（３）のスタンスを採るプレイヤーよりも（４）のスタンスを採るプレイヤーの可動位置がやや踵寄りになる。
【０００７】
そして、地面Ｊから足裏ＡＵが完全に離れると、足首ＡＫが大きく可動させる（図３４（ｃ）参照）。このとき、クロスタイプと比較して地面Ｊと踵Ｋとの距離Ｓ２'が長く、地面Ｊから踵Ｋが大きく離れる。この後、足裏ＡＵを地面Ｊに着地させるとき、踵Ｋが最初に地面Ｊに着地する（図３４（ｄ）参照）。このとき、（４）のスタンスを採るプレイヤーよりも（３）のスタンスを採るプレイヤーの足裏ＡＵの着地位置がややつま先寄りになる。
（３）のスタンス、および（４）のスタンスを採るプレイヤーは足が前後に屈曲するような状態で歩行するので、例えば、スリッパを履く場合、足の甲にスリッパが引っ掛かる形になり、かつスリッパの踵を引きずるように歩く。このため、パラレルタイプは、クロスタイプと比較してスリッパを履いて歩き易い。
【０００８】
このように、各プレイヤーは自分が「フォースタンス理論」における４つのスタンスのうちいずれのスタンスを採るかに依存して、足の動きが大きく変化する。すなわち、４つのスタンスは、末梢四肢（手足）に相互に関係しており、脳から末梢四肢に至る固有の身体特徴に基づいて理論立てられている。
【先行技術文献】
【特許文献】
【０００９】
【特許文献１】特開２００４−３２１５５９号公報
【発明の概要】
【発明が解決しようとする課題】
【００１０】
ところで、各プレイヤーは自分が４つのスタンスのうち、どのスタンスに分類されるのかが認識できたとしても、「フォースタンス理論」に精通したトレーナーなどのアドバイスを受けないと、十分に運動能力を発揮しにくいという課題がある。
また、上述の従来技術にあっては、４つのスタンス毎にプレイヤーの運動能力を十分発揮させることが可能な簡易な道具が何ら開示されておらず、「フォースタンス理論」をあらゆるスポーツなどの運動に反映しにくいという課題がある。
【００１１】
そこで、この発明は、上述した事情に鑑みてなされたものであって、フォースタンス理論に基づき、プレイヤー個々の運動能力を十分発揮させることができる簡易な運動補助具を提供するものである。
【課題を解決するための手段】
【００１２】
上記の課題を解決するために、請求項１に記載した発明は、使用者が円錐台状に形成された把持部の端部を第一指と第二指とで把持して使用する運動補助具であって、使用者の立位自然体での足裏重心がつま先側で、かつ内側に位置するとき、前記把持部の周面は、前記使用者の前記第二指から第五指に向かうに従って先細りとなるように形成され、前記把持部の前記端部の直径をＤとし、前記把持部の前記周面の中心軸に対する傾斜角度をθとしたとき、前記端部の直径Ｄを１０ｍｍ＜Ｄ＜５０ｍｍを満たすように設定すると共に、前記周面の傾斜角度θを２°＜θ＜４°を満たすように設定したことを特徴とする。
このような簡易な運動補助具を使用することにより、とりわけ（１）のスタンスを採るプレイヤーにとって好適な刺激を付与することができ、（１）のスタンスを採るプレイヤーの運動能力を十分発揮させることが可能になる。
【００１３】
請求項２に記載した発明は、使用者が円錐台状に形成された把持部の端部を第一指と第三指とで把持して使用する運動補助具であって、使用者の立位自然体での足裏重心が踵側で、かつ外側に位置するとき、前記把持部の周面は、前記使用者の前記第三指から第五指に向かうに従って末広がりとなるように形成され、前記把持部の前記端部の直径をＤとし、前記把持部の前記周面の中心軸に対する傾斜角度をθとしたとき、前記端部の直径Ｄを５ｍｍ＜Ｄ＜４５ｍｍを満たすように設定すると共に、前記周面の傾斜角度θを２°＜θ＜４°を満たすように設定したことを特徴とする。
このような簡易な運動補助具を使用することにより、とりわけ（２）のスタンスを採るプレイヤーにとって好適な刺激を付与することができ、（２）のスタンスを採るプレイヤーの運動能力を十分発揮させることが可能になる。
【００１４】
請求項３に記載した発明は、前記把持部の軸方向の長さは、少なくとも４０ｍｍに設定されていることを特徴とする。
このように構成することで、使用者の少なくとも２本の指に刺激を付与することができるので、（１）のスタンスを採るプレイヤー、および（２）のスタンスを採るプレイヤーの運動能力を確実に十分発揮させることが可能になる。
【００１５】
請求項４に記載した発明は、使用者が小径部と大径部とを有する段付円柱状に形成された把持部のうち、前記小径部を第一指と第二指とで把持すると共に、前記大径部を第三指と第四指とで把持して使用する運動補助具であって、前記使用者の立位自然体での足裏重心がつま先側で、かつ外側に位置するとき、前記小径部の直径をＤｓとし、前記大径部の直径をＤｂとし、前記大径部の軸方向の長さをＴｂとしたとき、前記小径部の直径Ｄｓを５ｍｍ＜Ｄｓ＜４５ｍｍを満たすように設定し、前記大径部の直径Ｄｂを１０ｍｍ＜Ｄｂ＜５０ｍｍを満たすように設定すると共に、これら直径Ｄｓ、および直径Ｄｂを１ｍｍ＜Ｄｂ−Ｄｓ＜５ｍｍを満たすように設定し、前記大径部の軸方向の長さＴｂを２０ｍ＜Ｔｂ＜３０ｍｍを満たすように設定したことを特徴とする。
このような簡易な運動補助具を使用することにより、とりわけ（３）のスタンスを採るプレイヤーにとって好適な刺激を付与することができ、（３）のスタンスを採るプレイヤーの運動能力を十分発揮させることが可能になる。
【００１６】
請求項５に記載した発明は、使用者が小径部と大径部とを有する段付円柱状に形成された把持部のうち、前記小径部を第四指と第五指とで把持すると共に、前記大径部を第一指、第二指、および第三指で把持して使用する運動補助具であって、前記使用者の立位自然体での足裏重心が踵側で、かつ内側に位置するとき、前記小径部の直径をＤｓとし、前記大径部の直径をＤｂとし、前記大径部の軸方向の長さをＴｂとしたとき、前記小径部の直径Ｄｓを５ｍｍ＜Ｄｓ＜４５ｍｍを満たすように設定し、前記大径部の直径Ｄｂを１０ｍｍ＜Ｄｂ＜５０ｍｍを満たすように設定すると共に、これら直径Ｄｓ、および直径Ｄｂを１ｍｍ＜Ｄｂ−Ｄｓ＜５ｍｍを満たすように設定し、前記大径部の軸方向の長さＴｂを２０ｍｍ＜Ｔｂ＜３０ｍｍを満たすように設定したことを特徴とする。
このような簡易な運動補助具を使用することにより、とりわけ（４）のスタンスを採るプレイヤーにとって好適な刺激を付与することができ、（４）のスタンスを採るプレイヤーの運動能力を十分発揮させることが可能になる。
【００１７】
請求項６に記載した発明は、前記把持部を弾性を有する素材により形成したことを特徴とする。
このように構成することで、運動補助具を使用する際、使用者にとってより心地よい感触を付与することができ、確実に運動能力を十分発揮させることが可能になる。
【００１８】
請求項７に記載した発明は、前記把持部は放射性物質を含んでいることを特徴とする。
このように構成することで、放射性物質がこれから発せられるα線、β線、γ線により分子をラジカル化したり、電離作用によってイオン対を生成しマイナスイオンを発生させたりする。このため、把持部を把持する使用者の手の血流を活発化させることが可能になり、さらに運動能力を十分発揮させることが可能になる。
【発明の効果】
【００１９】
本発明によれば、簡易な運動補助具を把持するだけで、フォースタンス理論に基づいて決定する各スタンスのプレイヤー毎に適正な刺激を付与することができる。このため、各々プレイヤーの運動能力を簡単、かつ確実に十分発揮させることが可能になる。
【図面の簡単な説明】
【００２０】
【図１】本発明の第一実施形態における運動補助具を示し、（ａ）は縦断面図、（ｂ）は平面図である。
【図２】本発明の第一実施形態におけるつま先内側重心のプレイヤーの右足底面の骨格図である。
【図３】本発明の第一実施形態におけるつま先内側重心のプレイヤーの右手掌面の骨格図である。
【図４】本発明の第一実施形態におけるつま先内側重心のプレイヤーの動作説明図である。
【図５】本発明の第一実施形態におけるつま先内側重心のプレイヤーの動作説明図である。
【図６】本発明の第一実施形態におけるつま先内側重心のプレイヤーの動作説明図である。
【図７】本発明の第一実施形態におけるつま先内側重心のプレイヤーの最終的な把持状態を示す説明図である。
【図８】本発明の第一実施形態におけるつま先内側重心のプレイヤーが運動補助具を把持した状態を示す説明図である。
【図９】本発明の第一実施形態における踵外側重心のプレイヤーの右足底面の骨格図である。
【図１０】本発明の第一実施形態における踵外側重心のプレイヤーの右手掌面の骨格図である。
【図１１】本発明の第一実施形態における踵外側重心のプレイヤーの動作説明図である。
【図１２】本発明の第一実施形態における踵外側重心のプレイヤーの動作説明図である。
【図１３】本発明の第一実施形態における踵外側重心のプレイヤーの動作説明図である。
【図１４】本発明の第一実施形態における踵外側重心のプレイヤーの最終的な把持状態を示す説明図である。
【図１５】本発明の第一実施形態における踵外側重心のプレイヤーが運動補助具を把持した状態を示す説明図である。
【図１６】本発明の第二実施形態における運動補助具を示し、（ａ）は縦断面図、（ｂ）は平面図である。
【図１７】本発明の第二実施形態におけるつま先外側重心のプレイヤーの右足底面の骨格図である。
【図１８】本発明の第二実施形態におけるつま先外側重心のプレイヤーの右手掌面の骨格図である。
【図１９】本発明の第二実施形態におけるつま先外側重心のプレイヤーの動作説明図である。
【図２０】本発明の第二実施形態におけるつま先外側重心のプレイヤーの動作説明図である。
【図２１】本発明の第二実施形態におけるつま先外側重心のプレイヤーの動作説明図である。
【図２２】本発明の第二実施形態におけるつま先外側重心のプレイヤーの最終的な把持状態を示す説明図である。
【図２３】本発明の第二実施形態におけるつま先外側重心のプレイヤーが運動補助具を把持した状態を示す説明図である。
【図２４】本発明の第二実施形態における踵内側重心のプレイヤーの右足底面の骨格図である。
【図２５】本発明の第二実施形態における踵内側重心のプレイヤーの右手掌面の骨格図である。
【図２６】本発明の第二実施形態における踵内側重心のプレイヤーの動作説明図である。
【図２７】本発明の第二実施形態における踵内側重心のプレイヤーの動作説明図である。
【図２８】本発明の第二実施形態における踵内側重心のプレイヤーの動作説明図である。
【図２９】本発明の第二実施形態における踵内側重心のプレイヤーの最終的な把持状態を示す説明図である。
【図３０】本発明の第二実施形態における踵内側重心のプレイヤーが運動補助具を把持した状態を示す説明図である。
【図３１】フォースタンス理論における４のスタンスの現れ方を示す説明図である。
【図３２】クロスタイプの歩行時の足の動きを示す説明図である。
【図３３】クロスタイプの歩行時の足の動きを示す説明図である。
【図３４】パラレルタイプの歩行時の足の動きを示す説明図である。
【発明を実施するための形態】
【００２１】
次に、この発明の第一実施形態を図１〜図１５に基づいて説明する。
図１は、（１）のスタンス、および（２）のスタンス、つまり、つま先内側重心のプレイヤー、および踵外側重心のプレイヤーに最適な運動補助具１を示し、（ａ）は縦断面図、（ｂ）は平面図である。
図１（ａ）、図１（ｂ）に示すように、運動補助具１は、略円錐台形状であって、かつ筒状に形成された把持部２を有している。すなわち、把持部２は、軸方向で対向する上面３、および下面４と、これら上面３と下面４とを連結する円錐面５とで構成され、内部に中空部Ｃ１を有している。
【００２２】
上面３には、中央の大部分に開口部６が形成されている。これにより、円錐面５の上面３側端部５ａには、内フランジ部７が形成された状態になっている。
一方、下面４にも中央の大部分に開口部８が形成されている。開口部８が形成されることにより、円錐面５の下面４側端部５ｂには、内フランジ部９が形成された状態になっている。
【００２３】
ここで、把持部２の各部の寸法は以下のように設定されている。
すなわち、上面３の直径をＤ１とし、上面３に形成された開口部６の直径をＤ２とし、下面４の直径をＤ３とし、下面４に形成された開口部８の直径をＤ４とし、把持部２の軸方向の高さをＴ１とし、円錐面５の中心軸に対する傾斜角度をθ１としたとき、それぞれ
Ｄ１≒４１ｍｍ
Ｄ２≒２０．５ｍｍ
Ｄ３≒４６ｍｍ
Ｄ４≒２０．５ｍｍ
Ｔ１≒４４ｍｍ
θ１≒３．３°
に設定されている。
【００２４】
また、把持部２は、弾性を有する素材、例えば、スチレン−ブタジエンゴム（ＳＢＲ）やアクリロニトル−ブタジエンゴム（ＮＢＲ）などの合成ゴムにより形成されたものであって、その重さは約３４ｇ程度に設定されている。
なお、把持部２の硬度はブリネル硬さＨＢ５０度〜６０度程度に設定されていることが望ましい。
また、把持部２には、放射性物質が含まれている。放射性物質としては、例えば、ゲルマニウム（Ｇｅ）などが挙げられる。この放射性物質は、把持部２に例えば、６〜８％含有されている。また、ゲルマニウム（Ｇｅ）に代わって電気石（トルマリン）を用い、これに励起材を使用してマイナスイオンを発生させるように構成してもよい。
【００２５】
次に、運動補助具１の使用方法について説明する。
ここで、まず（１）のスタンスのプレイヤーの特徴について説明する。
図２は、（１）のスタンス、つまり、つま先内側重心のプレイヤーの右足底面の骨格図、図３は、（１）のスタンスのプレイヤーの右手掌面の骨格図である。
図２に示すように、（１）のスタンスのプレイヤーは、第一中足骨頭と第五中足骨底とを結ぶ直線Ｌ１と、この直線Ｌ１に略並行であって、かつ立方骨上を通る直線Ｌ２との間の範囲（図２においてドットで示す）に刺激を付与することによって、運動能力を十分発揮することができる。
【００２６】
このことは、（１）のスタンスのプレイヤーの手に、足裏と略同一箇所となる部位に刺激を付与することによって同様の効果を奏することが可能である。
すなわち、図３に詳示するように、第二指の近位指節間関節のやや前方と基節骨底とを結ぶ直線Ｌ３と、この直線Ｌ３に略並行であって、かつ第五中手骨頭上を通る直線Ｌ４との間の範囲Ｗ１（図３においてドットで示す）に刺激を付与すると共に、小菱形骨と有頭骨との間の範囲Ｗ２（図３においてドットで示す）に刺激を付与することにより、（１）のスタンスのプレイヤーの運動能力を十分発揮させることが可能になる。これは、とりもなおさず４のスタンスは、末梢四肢（手足）に相互に関係しており、脳から末梢四肢に至る固有の身体特徴に基づいて理論立てられているからである（以下に示す３つのスタンスのプレイヤーについても同様）。
【００２７】
図４〜図６は、（１）のスタンスのプレイヤーが棒（例えば、バットのグリップやゴルフクラブのグリップなど、図４〜図６に２点鎖線で示す）等を把持する際の動作説明図である。図７は、（１）のスタンスのプレイヤーの棒を把持する最終的な状態を示す説明図である。図８は、（１）のスタンスのプレイヤーが運動補助具１を把持した状態を示す説明図である。
（１）のスタンスのプレイヤーは、図３における範囲Ｗ１，Ｗ２に刺激を付与することで運動能力を十分発揮できるので、無意識のうちに手の範囲Ｗ１で棒を掴もうとする（図４参照）。
【００２８】
続いて、特に第二指と第三指を用いて棒を巻き込むようにし（図５、図６参照）、最終的に手の範囲Ｗ１，Ｗ２で棒を把持する（図７参照）。
すなわち、図７に示すように、（１）のスタンスのプレイヤーは、第一指、第二指、および第三指の指先で棒を把持する。また、手首は、手の甲から前腕に至る間がほぼフラットな状態になる。さらに、第一指の指先は、第二指側に向いた状態になる。
【００２９】
このような特徴を有する（１）のスタンスのプレイヤーにあっては、図８に示すように運動補助具１の把持部２を把持すると、余計な力が体にかからず、運動能力を十分発揮することが可能になる。
すなわち、第一指の指先と第二指の指先とにより把持部２の円錐面５であって下面４側端部５ｂを把持し、第三指の指先により円錐面５の上面３側を把持することにより、（１）のスタンスのプレイヤーは、運動能力を十分発揮できる。
【００３０】
ここで、円錐面５は、第二指から第五指側に向かうに従って先細り状態になっている。また、円錐面５の傾斜角度θ１は、
θ１≒３．３°
に設定されている。このため、（１）のスタンスのプレイヤーが図８に示すように運動補助具１の把持部２を把持することにより、結果的に（１）のスタンスのプレイヤーの各指が図３の範囲Ｗ１に沿って曲がることになる。
【００３１】
さらに、把持部２の軸方向の高さＴ１は、
Ｔ１≒４４ｍｍ
に設定されている。この高さＴ１は、（１）のスタンスのプレイヤーにとって刺激を付与すべき必要最低限の指の本数、つまり、第二指と第三指との２本の指が円錐面５に接触可能な高さになっている。
以上から図３に示す範囲Ｗ１，Ｗ２に適度な刺激が効率よく付与され（１）のスタンスのプレイヤーの運動能力が十分発揮される。
【００３２】
また、把持部２は、弾性を有する筒状に形成され、内部に中空部Ｃ１を有しているので、把持部２が適度に軟らかく、（１）のスタンスのプレイヤーにとって心地よい感触を付与させることができる。しかも、円錐面５の各端部５ａ，５ｂにそれぞれ内フランジ部７，９が形成されているので、この分、円錐面５の各端部５ａ，５ｂの剛性を円錐面５の軸方向中央部分と比較して高めることができる。このため、把持部２の形状が崩れることなく、（１）のスタンスのプレイヤーの手を所望の形で維持することができる。よって、確実に（１）のスタンスのプレイヤーの運動能力を十分発揮させることが可能になる。
【００３３】
さらに、把持部２には、放射性物質（例えば、ゲルマニウム）が含まれているので、この放射性物質から発せられるα線、β線、γ線により分子をラジカル化したり、電離作用によってイオン対を生成しマイナスイオンを発生させたりする。このため、把持部２を把持する（１）のスタンスのプレイヤーの手の血流を活発化させることが可能になり、さらに運動能力を十分発揮させることが可能になる。
【００３４】
次に、（２）のスタンスのプレイヤーの特徴について説明する。
図９は、（２）のスタンス、つまり、踵外側重心のプレイヤーの右足底面の骨格図、図１０は、（２）のスタンスのプレイヤーの右手掌面の骨格図である。
図９に示すように、（２）のスタンスのプレイヤーは、内側楔状骨の頭部と立方骨の中心とを結ぶ直線Ｌ５と、直線Ｌ５に略並行であって、かつ舟状骨と距骨との間を通る直線Ｌ６との間の範囲Ｗ３（図９においてドットで示す）に刺激を付与することによって、運動能力を十分発揮することができる。
【００３５】
このことは、（２）のスタンスのプレイヤーの手に、足裏と略同一箇所となる部位に刺激を付与することによって同様の効果を奏することが可能である。
すなわち、図１０に詳示するように、第二指の近位指節間関節と中節骨の中心とを結ぶ直線Ｌ７、三角骨と種子骨の頭側とを結ぶ直線Ｌ８、舟状骨から第三指に沿って延出する直線Ｌ９、およびこの直線Ｌ９に略並行であって、かつ豆状骨を通る直線Ｌ１０により囲まれる範囲Ｗ４（図１０においてドットで示す）に刺激を付与することにより、（２）のスタンスのプレイヤーの運動能力を十分発揮させることが可能になる。
【００３６】
図１１〜図１３は、（２）のスタンスのプレイヤーが棒（例えば、バットのグリップやゴルフクラブのグリップなど、図１１〜図１３に２点鎖線で示す）等を把持する際の動作説明図である。図１４は、（２）のスタンスのプレイヤーの棒を把持する最終的な状態を示す説明図である。図１５は、（２）のスタンスのプレイヤーが運動補助具１を把持した状態を示す説明図である。
（２）のスタンスのプレイヤーは、図１０における範囲Ｗ４に刺激を付与することで運動能力を十分発揮できるので、無意識のうちに手の範囲Ｗ４であって、三角骨側で棒を掴もうとする（図１１参照）。
【００３７】
続いて、特に第三指と第四指を用いて棒を巻き込むようにし（図１２、図１３参照）、最終的に手の範囲Ｗ４全体で棒を把持する（図１４参照）。
すなわち、図１４に示すように、（２）のスタンスのプレイヤーは、掌で、かつ第一指、第三指、および第四指で棒を把持する。また、手首は、手の甲から前腕に至る間がほぼフラットな状態になる。さらに、第一指の指先は、第二指であって、第三指とは反対側の側面に位置した状態になる。
【００３８】
このような特徴を有する（２）のスタンスのプレイヤーにあっては、図１５に示すように運動補助具１の把持部２を把持すると、余計な力が体にかからず、運動能力を十分発揮することが可能になる。
すなわち、第一指と第三指とにより把持部２の円錐面５であって上面３側端部５ａを把持し、第四指により円錐面５の下面４側を把持する。そして、掌全体で把持部２の周囲を覆うように把持する。こうすることにより、（２）のスタンスのプレイヤーは、運動能力を十分発揮できる。
【００３９】
ここで、円錐面５は、第三指から第五指側に向かうに従って末広がり状態になっている。また、円錐面５の傾斜角度θ１は、
θ１≒３．３°
に設定されている。このため、（２）のスタンスのプレイヤーが図１５に示すように運動補助具１の把持部２を把持することにより、結果的に（２）のスタンスのプレイヤーの手が直線Ｌ８に沿うように曲がりつつ、範囲Ｗ４（図１０参照）で棒を把持した状態になる。よって、（２）のスタンスのプレイヤーに好適な刺激が付与され（１）のスタンスのプレイヤーと同様の効果を奏することができる。
【００４０】
次に、この発明の第二実施形態を図１６〜図３０に基づいて説明する。
図１６は、（３）のスタンス、および（４）のスタンス、つまり、つま先外側重心のプレイヤー、および踵内側重心のプレイヤーに最適な運動補助具２１を示し、（ａ）は縦断面図、（ｂ）は平面図である。
この第二実施形態において、運動補助具２１の把持部２２が弾性を有する素材により形成され、硬度が約ブリネル硬さＨＢ５０度〜６０度程度に設定されている点、把持部２２には放射性物質が含まれている点は前述した第一実施形態と同様である。
【００４１】
ここで、第二実施形態の把持部２２は、小径部３１と、この小径部３１よりも段差により拡径された大径部３２とを有する略段付円筒状に形成されている。すなわち、把持部２２は、軸方向で対向する上面２３、および下面２４と、上面２３の外周面に連結している小径周面３３と、下面２４の外周面に連結している大径周面３４とで構成され、内部に中空部Ｃ２を有している。
【００４２】
上面２３には、中央の大部分に開口部２６が形成されている。これにより、小径周面３３の上面２３側端部３３ａには、内フランジ部２７が形成された状態になっている。
一方、下面２４にも中央の大部分に開口部２８が形成されている。開口部２８が形成されることにより、大径周面３４の下面２４側端部３４ａには、内フランジ部２９が形成された状態になっている。
【００４３】
ここで、把持部２２の各部の寸法は以下のように設定されている。
すなわち、小径周面３３の直径をＤ２１とし、上面２３に形成された開口部２６の直径をＤ２２とし、大径周面３４の直径をＤ２３とし、下面２４に形成された開口部２８の直径をＤ２４とし、小径部３１の軸方向の高さをＴｓとし、大径部３２の軸方向の高さをＴｂとしたとき、それぞれ
Ｄ２１≒４１ｍｍ
Ｄ２２≒２０．５ｍｍ
Ｄ２３≒４６ｍｍ
Ｄ２４≒２０．５ｍｍ
Ｔｓ≒２２ｍｍ
Ｔｂ≒２２ｍｍ
に設定されている。
なお、このように構成された把持部２２の重量は、約３０ｇ程度に設定されている。
【００４４】
次に、運動補助具２１の使用方法について説明する。
ここで、まず（３）のスタンスのプレイヤーの特徴について説明する。
図１７は、（３）のスタンス、つまり、つま先外側重心のプレイヤーの右足底面の骨格図、図１８は、（３）のスタンスのプレイヤーの右手掌面の骨格図である。
図１７に示すように、（３）のスタンスのプレイヤーは、第一中足骨と内側楔状骨との間と、第五中足骨と立方骨との間とを結ぶ直線Ｌ１１と、第二指の基節骨と末節骨との間と、第五指の中節骨の中心とを結ぶ直線Ｌ１２との間であって、かつ第三指、および第四指に対応する範囲Ｗ５（図１７においてドットで示す）に刺激を付与することによって、運動能力を十分発揮することができる。
【００４５】
このことは、（３）のスタンスのプレイヤーの手に、足裏と略同一箇所となる部位に刺激を付与することによって同様の効果を奏することが可能である。
すなわち、図１８に詳示するように、第三指の遠位指節間関節を通り、かつ第三指の長さ方向に略直行する直線Ｌ１３と、第三指の近位指節間関節の頭側を通り、かつ第三指の長さ方向に略直行する直線Ｌ１４との間であって、かつ第三指、および第四指に対応する範囲Ｗ６（図１８においてドットで示す）に刺激を付与することにより、（３）のスタンスのプレイヤーの運動能力を十分発揮させることが可能になる。
【００４６】
図１９〜図２１は、（３）のスタンスのプレイヤーが棒（例えば、バットのグリップやゴルフクラブのグリップなど、図１９〜図２１に２点鎖線で示す）等を把持する際の動作説明図である。図２２は、（３）のスタンスのプレイヤーの棒を把持する最終的な状態を示す説明図である。図２３は、（３）のスタンスのプレイヤーが運動補助具２１を把持した状態を示す説明図である。
（３）のスタンスのプレイヤーは、図１８における範囲Ｗ６に刺激を付与することで運動能力を十分発揮できるので、無意識のうちに手の範囲Ｗ６で棒を掴もうとする（図１９参照）。
【００４７】
続いて、特に第三指と第四指を用いて棒を巻き込むようにし（図２０、図２１参照）、最終的に手の範囲Ｗ６で棒を把持する（図２２参照）。
すなわち、図１８に示すように、（３）のスタンスのプレイヤーは、第一指、第三指、および第四指の指先で棒を把持する。また、手首は、手の甲側に向かって背屈する。さらに、第一指は、把持する物（この実施形態では棒）の長手方向（直線状）に沿う。
【００４８】
このような特徴を有する（３）のスタンスのプレイヤーにあっては、図２３に示すように運動補助具２１の把持部２２を把持すると、余計な力が体にかからず、運動能力を十分発揮することが可能になる。
すなわち、第一指の指先と第三指の指先とにより把持部２２の小径部３１を把持する一方、第四指の指先により把持部２２の大径部３２を把持することにより、（３）のスタンスのプレイヤーは、運動能力を十分発揮することができる。
【００４９】
ここで、小径部３１の高さＴｓ、および大径部３２の高さＴｂは、それぞれ
Ｔｓ≒２２ｍｍ
Ｔｂ≒２２ｍｍ
に設定されている。これら高さＴｓ，Ｔｂは、（３）のスタンスのプレイヤーにとって刺激を付与すべき必要最低限の指の本数、つまり、第三指と第四指との２本の指がそれぞれ対応する各部３１，３２に接触可能な高さになっている。
以上から図１８に示す範囲Ｗ６に適度な刺激が効率よく付与され、（３）のスタンスのプレイヤーは、前述の（１）のスタンスのプレイヤーと同様の効果を奏することが可能になる。
【００５０】
次に、（４）のスタンスのプレイヤーの特徴について説明する。
図２４は、（４）のスタンス、つまり、踵内側重心のプレイヤーの右足底面の骨格図、図２５は、（４）のスタンスのプレイヤーの右手掌面の骨格図である。
図２４に示すように、（４）のスタンスのプレイヤーは、舟状骨と距骨との間と、立方骨の後端とを結ぶ直線Ｌ１５と、第一中足骨頭と、第五中足骨頭とを結ぶ直線Ｌ１６との間であって、かつ第二指、および第三指に対応する範囲Ｗ７（図２４においてドットで示す）に刺激を付与することにより、運動能力を十分発揮することができる。
【００５１】
このことは、（４）のスタンスのプレイヤーの手に、足裏と略同一箇所となる部位に刺激を付与することによって同様の効果を奏することが可能である。
すなわち、図２５に詳示するように、第二指における第一指側であって、かつ第二指の長さ方向に沿う直線Ｌ１７と、第三指における第四指側であって、かつ第三指の長さ方向に沿う直線Ｌ１８の間の範囲のうち、近位指節間関節よりも手首側の範囲Ｗ８（図２５においてドットで示す）を刺激することにより、（４）のスタンスのプレイヤーの運動能力を十分発揮させることが可能になる。
【００５２】
図２６〜図２８は、（４）のスタンスのプレイヤーが棒（例えば、バットのグリップやゴルフクラブのグリップなど、図２６〜図２８に２点鎖線で示す）等を把持する際の動作説明図である。図２９は、（４）のスタンスのプレイヤーの棒を把持する最終的な状態を示す説明図である。図３０は、（４）のスタンスのプレイヤーが運動補助具２１を把持した状態を示す説明図である。
（４）のスタンスのプレイヤーは、図２２における範囲Ｗ８に刺激を付与することで運動能力を十分発揮できるので、無意識のうちに手の範囲Ｗ８であって、三角骨側で棒を掴もうとする（図２６参照）。
【００５３】
続いて、特に第二指と第三指を用いて棒を巻き込むようにし（図２７、図２８参照）、最終的に手の範囲Ｗ８全体で棒を把持する（図２９参照）。
すなわち、図２９に示すように、（４）のスタンスのプレイヤーは、掌で、かつ第一指、第二指、および第三指で棒を把持する。また、手首は、第一指側に向かって背屈する。さらに、第一指は、把持する物（この実施形態では棒）の長手方向（直線状）に沿う。
【００５４】
このような特徴を有する（４）のスタンスのプレイヤーにあっては、図３０に示すように運動補助具２１の把持部２２を把持すると、余計な力が体にかからず、運動能力を十分発揮することが可能になる。
すなわち、第一指と第二指とにより把持部２の大径部３２を把持する一方、第三指により小径部３１を把持する。そして、掌全体で把持部２２の周囲を覆うように把持する。こうすることにより、（４）のスタンスのプレイヤーは、運動能力を十分発揮することができる。
【００５５】
ここで、小径部３１の高さＴｓ、および大径部３２の高さＴｂは、それぞれ
Ｔｓ≒２２ｍｍ
Ｔｂ≒２２ｍｍ
に設定されている。これら高さＴｓ，Ｔｂは、（４）のスタンスのプレイヤーにとって刺激を付与すべき必要最低限の指の本数、つまり、第二指と第三指との２本の指がそれぞれ対応する各部３１，３２に接触可能な高さになっている。
以上から図２５に示す範囲Ｗ８に適度な刺激が効率よく付与され、（４）のスタンスのプレイヤーは、前述の（１）のスタンスのプレイヤーと同様の効果を奏することが可能になる。
【００５６】
なお、本発明は上述の実施形態に限られるものではなく、本発明の趣旨を逸脱しない範囲において、上述の実施形態に種々の変更を加えたものを含む。
例えば、上述の実施形態では、運動補助具１，２１の把持部２，２２のみについて説明した。しかしながら、これに限られるものではなく、バット、ゴルフクラブ、テニスラケットのグリップや、ハンドル、杖、フライパンや鍋の取手、包丁の柄など、さまざまな道具に把持部２，２２を設け、これを運動補助具１，２１として構成することも可能である。これらを用いる場合、例えば、一例としてバット、ゴルフクラブ、テニスラケットなどのグリップで説明すると、グリップの一部に把持部２，２２を形成すればよい。
【００５７】
このことから、上述の第一実施形態では、運動補助具１の把持部２における上面３の直径Ｄ１、開口部６の直径Ｄ２、下面４の直径Ｄ３、開口部８の直径Ｄ４、軸方向の高さＴ１、および円錐面５の傾斜角度θ１をそれぞれ
Ｄ１≒４１ｍｍ
Ｄ２≒２０．５ｍｍ
Ｄ３≒４６ｍｍ
Ｄ４≒２０．５ｍｍ
Ｔ１≒４４ｍｍ
θ１≒３．３°
に設定した場合について説明したが、これに限られるものではなく、（１）のスタンスのプレイヤーと（２）のスタンスのプレイヤーは、それぞれ所定の部位が所定の数値に設定されていればよい。
【００５８】
すなわち、（１）のスタンスのプレイヤーにあっては、少なくとも下面４の直径Ｄ３、および円錐面５の傾斜角度θ１が所望の数値に設定されていればよい。具体的には、それぞれ直径Ｄ３、および傾斜角度θ１は、
１０ｍｍ＜Ｄ３＜５０ｍｍ・・・（１）
２°＜θ１＜４°        ・・・（２）
を満たすように設定されていればよい。少なくとも、これら直径Ｄ３、および傾斜角度θ１を式（１）、式（２）を満たすように設定することで、（１）のスタンスのプレイヤーに余計な力をかけさせないと共に、図３に示す範囲Ｗ１，Ｗ２に適度な刺激が効率よく付与され運動能力を十分発揮させることができる。
【００５９】
また、（２）のスタンスのプレイヤーにあっては、少なくとも上面３の直径Ｄ１、および円錐面５の傾斜角度θ１が所望の数値に設定されていればよい。具体的には、それぞれ直径Ｄ１、および傾斜角度θ１は、
５ｍｍ＜Ｄ１＜４５ｍｍ・・・（３）
２°＜θ１＜４°      ・・・（４）
を満たすように設定されていればよい。少なくとも、これら直径Ｄ１、および傾斜角度θ１を式（３）、式（４）を満たすように設定することで、（２）のスタンスのプレイヤーに余計な力をかけさせないと共に、図１０に示す範囲Ｗ４に適度な刺激が効率よく付与され運動能力を十分発揮させることができる。
【００６０】
さらに、上述の第二実施形態では、運動補助具２１の把持部２２における小径周面３３の直径Ｄ２１、開口部２６の直径Ｄ２２、大径周面３４の直径Ｄ２３、開口部２８の直径Ｄ２４とし、小径部３１の軸方向の高さＴｓとし、大径部３２の軸方向の高さＴｂをそれぞれ
Ｄ２１≒４１ｍｍ
Ｄ２２≒２０．５ｍｍ
Ｄ２３≒４６ｍｍ
Ｄ２４≒２０．５ｍｍ
Ｔｓ≒２２ｍｍ
Ｔｂ≒２２ｍｍ
に設定した場合について説明したが、これに限られるものではなく（３）のスタンスのプレイヤーと（４）のスタンスのプレイヤーは、それぞれ所定の部位が所定の数値に設定されていればよい。
【００６１】
すなわち、（３）のスタンスのプレイヤー、および（４）のスタンスのプレイヤーにあっては、少なくとも小径周面３３の直径Ｄ２１、大径周面３４の直径Ｄ２３、および大径部３２の軸方向の高さＴｂをそれぞれ
５ｍｍ＜Ｄ２１＜４５ｍｍ  ・・・（５）
１０ｍｍ＜Ｄ２３＜５０ｍｍ・・・（６）
１ｍｍ＜（Ｄ２３−Ｄ２１）＜５ｍｍ・・・（７）
２０ｍｍ＜Ｔｂ＜３０ｍｍ  ・・・（８）
を満たすように設定されていればよい。少なくとも、これら直径Ｄ２１，２３、および高さＴｂを式（５）〜式（８）を満たすように設定することで、（３）のスタンスのプレイヤーに余計な力をかけさせないと共に、図１８に示す範囲Ｗ６に適度な刺激が効率よく付与され運動能力を十分発揮させることができる。また、（４）のスタンスのプレイヤーに余計な力をかけさせないと共に、図２５に示す範囲Ｗ８に適度な刺激が効率よく付与され運動能力を十分発揮させることができる。
【００６２】
そして、上述の実施形態では、把持部２，２２がそれぞれ中空部Ｃ１，Ｃ２を有する筒状に形成されている場合について説明した。しかしながら把持部２，２２を中実状に形成してもよい。
また、上述の実施形態では、把持部２，２２を弾性を有する素材に、放射性物質を含有して形成した場合について説明した。しかしながら、これに限られるものではなく、樹脂等の表面の硬い材料を用いて把持部２，２２を形成してもよい。さらに、放射性物質のみで把持部２，２２を形成してもよい。
【００６３】
さらに、上述の実施形態では、運動補助具１，２１の把持部２，２２全体の高さを各スタンスのプレイヤーにとって刺激を付与すべき必要最低限の指の本数、つまり、２本の指が接触可能な高さに設定した場合について説明した。具体的には、第一実施形態の把持部２の軸方向の高さＴ１を約４４ｍｍに設定すると共に、第二実施形態の把持部２２における小径部３１の軸方向の高さＴｓ、および大径部３２の軸方向の高さＴｂをそれぞれ約２２ｍｍに設定した。しかしながら、これらに限られるものではなく、各把持部２，２２全体の高さは各プレイヤーの少なくとも２本の指が接触可能な高さに設定されていればよい。具体的には、各把持部２，２２の全体の高さは３０ｍｍ以上に設定されていればよい。
【符号の説明】
【００６４】
１，２１  運動補助具
２，２２  把持部
３，２３  上面
４，２４  下面
５  円錐面（周面）
５ａ，５ｂ  端部
３１  小径部
３２  大径部
３３  小径周面
３３ａ，３４ａ  端部
３４  大径周面
Ｃ１，Ｃ２  中空部
Ｄ１〜Ｄ２４  直径
Ｔ１，Ｔｓ，Ｔｂ  高さ
θ１  傾斜角度
【図１】
2011045459.tif 000003
【図２】
2011045459.tif 000004
【図３】
2011045459.tif 000005
【図４】
2011045459.tif 000006
【図５】
2011045459.tif 000007
【図６】
2011045459.tif 000008
【図７】
2011045459.tif 000009
【図８】
2011045459.tif 000010
【図９】
2011045459.tif 000011
【図１０】
2011045459.tif 000012
【図１１】
2011045459.tif 000013
【図１２】
2011045459.tif 000014
【図１３】
2011045459.tif 000015
【図１４】
2011045459.tif 000016
【図１５】
2011045459.tif 000017
【図１６】
2011045459.tif 000018
【図１７】
2011045459.tif 000019
【図１８】
2011045459.tif 000020
【図１９】
2011045459.tif 000021
【図２０】
2011045459.tif 000022
【図２１】
2011045459.tif 000023
【図２２】
2011045459.tif 000024
【図２３】
2011045459.tif 000025
【図２４】
2011045459.tif 000026
【図２５】
2011045459.tif 000027
【図２６】
2011045459.tif 000028
【図２７】
2011045459.tif 000029
【図２８】
2011045459.tif 000030
【図２９】
2011045459.tif 000031
【図３０】
2011045459.tif 000032
【図３１】
2011045459.tif 000033
【図３２】
2011045459.tif 000034
【図３３】
2011045459.tif 000035
【図３４】
2011045459.tif 000036